(57)【要約】【課題】台として利用される台ブロックと畳ユニットとを一体化した従来にない畳ユニットを形成でき、しかもこの台ブロックで框枠の一部を兼用してコストを削減できる台付き畳ユニットを提供する。【解決手段】１乃至複数の畳５からなる和風調表面層６を載置台３の略全上面に敷設して畳ユニット９を形成する。上面部が天板２８となった台ブロック２を形成する。台ブロック２の略下半部を載置台３の外周部の少なくとも１辺に沿わせて連結する。台ブロック２の略上半部を畳ユニット９よりも上方に突出させる。台ブロック２の上下方向の中央部に和風調表面層６の外周部に近接対向し畳５の位置ずれを防止する畳止め部７を形成する。載置台３の外周部の台ブロック２側の辺を除く全ての辺に和風調表面層６の外周部に近接対向する框枠８を設ける。【選択図】        図１
2004324111.tif 000002
【特許請求の範囲】
【請求項１】
１乃至複数の畳からなる和風調表面層を載置台の略全上面に敷設して畳ユニットを形成すると共に、上面部が天板となった台ブロックを形成し、台ブロックの略下半部を載置台の外周部の少なくとも１辺に沿わせて連結し、台ブロックの略上半部を畳ユニットよりも上方に突出させ、台ブロックの上下方向の中央部に和風調表面層の外周部に近接対向し畳の位置ずれを防止する畳止め部を形成し、載置台の外周部の台ブロック側の辺を除く全ての辺に和風調表面層の外周部に近接対向する框枠を設けてなることを特徴とする台付き畳ユニット。
【請求項２】
１乃至複数の畳からなる和風調表面層を載置台の略全上面に敷設して畳ユニットを形成すると共に、上面部が天板となった台ブロックを形成し、台ブロックの略下半部の側面部を載置台の少なくとも一外側面部に密着させて連結し、台ブロックの略上半部を畳ユニットよりも上方に突出させ、前記台ブロックの略下半部の側面部の上端部に和風調表面層の外周部に近接対向し畳の位置ずれを防止する畳止め部を形成し、載置台の台ブロック側の外側面を除く全ての外側面に、該外側面よりも外側方に突出すると共に和風調表面層の外周部に近接対向する框枠を設けてなることを特徴とする台付き畳ユニット。
【請求項３】
上記台ブロックに畳ユニット側とは異なる側方に開口する収納部を形成してなることを特徴とする請求項１又は請求項２記載の台付き畳ユニット。
【請求項４】
上記台ブロックに、畳ユニットの上方部側及び畳ユニットの反対側に開口した畳に着座した人の足を挿通させるための足挿通用空所を形成してなることを特徴とする請求項１〜３のいずれかに記載の台付き畳ユニット。
【発明の詳細な説明】
【０００１】
【発明の属する技術分野】
本発明は畳ユニットに台を一体に設けた台付き畳ユニットに関するものである。
【０００２】
【従来の技術】
従来から洋室内に和室空間を形成する畳ユニットとして、複数の畳からなる和風調表面層を載置台の全面に敷設したものが知られている。この畳ユニットは、載置台の全ての外側面に、該外側面よりも外側方に突出すると共に和風調表面層の外周部に近接対向する框枠を設けてあり、この框枠によって畳の位置ずれを防止している。（例えば特許文献１）。
【０００３】
【特許文献１】
特開１１−２９９５５７号公報
【０００４】
【発明が解決しようとする課題】
ところで上記特許文献１に示す畳ユニットには、小物等を置くための置台や、文机、食卓等の台を一体に設けたものがなく、畳ユニットは単に畳に座って利用することしかできず和室空間として利用するための十分な機能を備えていない。また框枠は前述したように載置台の全ての外側面に設けられているため、部材点数が多くコストがかかるという問題がある。
【０００５】
そこで本発明者は本発明に至る過程において、畳ユニットよりも背の高い別体の台を畳ユニットのすぐ外側の床に配置し、この台を載置台に連結することを考えた。しかしながらこの場合、前述のように框枠が載置台の外側面よりも外側方に突出しているため、台と載置台との間に框枠が介在することとなり、框枠が邪魔になって台と載置台との間に隙間が形成されてしまい、見栄えが悪い。
【０００６】
本発明は上記の点に鑑みてなされたものであり、その目的とするところは、台として利用される台ブロックと畳ユニットとを一体化した従来にない畳ユニットを形成でき、しかもこの台ブロックで框枠の一部を兼用してコストを削減できる台付き畳ユニットを提供することを課題とするものであり、また別の目的とするところは、上記課題に加えて台ブロックと載置台とを隙間なくぴったりと連結できる外観の美しい台付き畳ユニットを提供することを課題とするものである。
【０００７】
【課題を解決するための手段】
上記課題を解決するために本発明に係る台付き畳ユニットは、１乃至複数の畳５からなる和風調表面層６を載置台３の略全上面に敷設して畳ユニット９を形成すると共に、上面部が天板２８となった台ブロック２を形成し、台ブロック２の略下半部を載置台３の外周部の少なくとも１辺に沿わせて連結し、台ブロック２の略上半部を畳ユニット９よりも上方に突出させ、台ブロック２の上下方向の中央部に和風調表面層６の外周部に近接対向し畳５の位置ずれを防止する畳止め部７を形成し、載置台３の外周部の台ブロック２側の辺を除く全ての辺に和風調表面層６の外周部に近接対向する框枠８を設けてなることを特徴とするものである。
【０００８】
このように１乃至複数の畳からなる和風調表面層６を載置台３の略全上面に敷設して畳ユニット９を形成すると共に、上面部が天板２８となった台ブロック２を形成し、台ブロック２の略下半部を載置台３の外周部の少なくとも１辺に沿わせて連結し、台ブロック２の略上半部を畳ユニット９よりも上方に突出させることで、畳ユニット９と、小物等を置くための置台や、文机、食卓等の台として利用される台ブロック２とを一体化できる。しかも、台ブロック２の畳止め部７で畳５の位置ずれを防止でき、台ブロック２で畳５の位置ずれを防止する框枠８の一部を兼用することができる。
【０００９】
また請求項２記載の台付き畳ユニットは、１乃至複数の畳５からなる和風調表面層６を載置台３の略全上面に敷設して畳ユニット９を形成すると共に、上面部が天板２８となった台ブロック２を形成し、台ブロック２の略下半部の側面部３４を載置台３の少なくとも一外側面部に密着させて連結し、台ブロック２の略上半部を畳ユニット９よりも上方に突出させ、前記台ブロック２の略下半部の側面部３４の上端部に和風調表面層６の外周部に近接対向し畳５の位置ずれを防止する畳止め部７を形成し、載置台３の台ブロック２側の外側面を除く全ての外側面に、該外側面よりも外側方に突出すると共に和風調表面層６の外周部に近接対向する框枠８を設けてなることを特徴とするものである。
【００１０】
このように、１乃至複数の畳５からなる和風調表面層６を載置台３の略全上面に敷設して畳ユニット９を形成すると共に、上面部が天板２８となった台ブロック２を形成し、台ブロック２の略下半部の側面部３４を載置台３の少なくとも一外側面部に密着させて連結し、台ブロック２の略上半部を畳ユニット９よりも上方に突出させることで、畳ユニット９と、小物等を置くための置台や、文机、食卓等の台として利用される台ブロック２とを一体化できる。しかも、台ブロック２の畳止め部７で畳５の位置ずれを防止でき、台ブロック２で畳５の位置ずれを防止する框枠８の一部を兼用することができる。さらには載置台３の台ブロック２側の外側面を除く全ての外側面に、該外側面よりも外側方に突出すると共に和風調表面層６の外周部に近接対向する框枠８を設けることで、框枠８を従来と略同様に載置台３の台ブロック２側の外側面を除く全ての外側面に該外側面よりも外側方に突出して設けることができ、尚且つ台ブロック２の略下半部の側面部３４を載置台３の少なくとも一外側面部に密着させて連結し、前記台ブロック２の略下半部の側面部の上端部に和風調表面層６の外周部に近接対向し畳５の位置ずれを防止する畳止め部７を形成することで、台ブロック２と載置台３とを隙間なくぴったりと連結できる。
【００１１】
また請求項３は請求項１又は請求項２記載の台付き畳ユニットにおいて、上記台ブロック２に畳ユニット９側とは異なる側方に開口する収納部２０を形成してなることを特徴とするものである。
【００１２】
このように台ブロック２に畳ユニット９側とは異なる側方に開口する収納部２０を形成することで、台として利用される台ブロック２を収納としても利用できる。
【００１３】
また請求項４は請求項１〜３のいずれかに記載の台付き畳ユニットにおいて、上記台ブロック２に、畳ユニット９の上方部３５側及び畳ユニット９の反対側に開口した畳５に着座した人の足を挿通させるための足挿通用空所２３を形成してなることを特徴とするものである。
【００１４】
このように台ブロック２に、畳ユニット９の上方部３５側及び畳ユニット９の反対側に開口した畳５に着座した人の足を挿通させるための足挿通用空所２３を形成することで、台ブロック２を例えば文机として利用する場合、足挿通用空所２３に畳ユニット９側の開口から畳５に着座した人の足を入れて、この足を畳ユニット９の反対側に出すことができる。
【００１５】
【発明の実施の形態】
以下、本発明を添付図面に示す実施形態に基づいて説明する。なお以下の説明の台付き畳ユニット１は、台ブロック２を載置台３の外周部の一辺を構成する一外側面にのみ連結したものであるが、載置台３の外周部の複数の辺、すなわち載置台３の複数の外側面に台ブロック２を連結しても良いものとする。また以下に示す台付き畳ユニット１は、載置台３の外周部の台ブロック２側の辺を除く辺のうち、１辺のみを壁４に沿わせて配置してあるが、複数の辺を壁４に沿わせて配置しても良いし、また載置台を壁４に沿って配置しなくても良いものとする。
【００１６】
図１〜３に本発明の台付き畳ユニット１を示す。台付き畳ユニット１は、１乃至複数の畳５からなる和風調表面層６を載置台３の略全上面に敷設して畳ユニット９を形成すると共に、上面部が天板２８となった台ブロック２を形成し、台ブロック２の略下半部を載置台３の外周部の１辺に沿わせて連結し、台ブロック２の略上半部を畳ユニット９よりも上方に突出させ、台ブロック２の上下方向の中央部に和風調表面層６の外周部に近接対向し畳５の位置ずれを防止する畳止め部７を形成し、載置台３の外周部の台ブロック２側の辺を除く全ての辺に和風調表面層６の外周部に近接対向する框枠８を設けてなるものである。
【００１７】
詳述すると、畳ユニット９の載置台３は床１９に隙間なく並べて載置された複数の畳台１０からなり、各畳台１０は平面視において畳半帖もしくは畳１帖と略同形同大で且つ略方形箱状である。本例の載置台３は図１等に示すように平面視形状が縦横同じ長さのＬ字状で且つ２帖半の広さを有しており、平面視畳半帖と略同形同大の畳台１０を５個床１９に並べて載置したものである。なお載置台３としては例えば平面視方形状であってもよく、載置台３の形状は上記平面視Ｌ字状に限定されるものではない。また載置台３の広さも上記に限定されるものではない。
【００１８】
上記の畳台１０としては内部が収納部１１となったものを用いる。この畳台１０は、図３（ｄ）に示すように上方に開口する内部が収納部１１となった箱体１２と、該箱体１２の開口を覆う開閉自在の蓋板１３とからなり、蓋板１３を開閉することで収納部１１を利用できるようになっている。蓋板１３は例えばスライド蝶番等によって回動自在に箱体１２に取り付けられており、蓋板１３を開閉した際に蓋板１３の外周部と箱体１２の開口縁部とが干渉せず、閉蓋時においては蓋板１３の下面が箱体１２の上面と面一となって開口を覆うようになっている（なお、図３（ａ）に示す矢印は蓋板１３の開閉方向である）。また本例では平面視Ｌ字状の載置台３を形成する複数の畳台１０のうち、両端に配置された畳台１０の収納部２０は壁４側及び台ブロック２側を除く一側方に開口しており、この開口から収納部１１に収納された引出し自在の引出し体１４を引き出すことによって収納部１１内の収納物を取り出し可能にしている。
【００１９】
上記載置台３の畳ブロック２側を除く全ての外側面には図４に示すように、上端部を除く略全面（すなわち箱体１２の外側面の全面）に化粧側板１５が結合されており、この化粧側板１５の上面には後述する框枠８のほぞ溝１６に嵌入されるほぞ１７が形成されている。
【００２０】
畳ユニット９を形成する場合は、上記載置台３を構成する各畳台１０に半畳の畳５を載置して畳台ユニット１８を形成し、該畳台ユニット１８を床１９に複数並べて載置する。すなわち前述した和風調表面層６は各畳台１０に載置された畳５からなる。なお、１個の畳台ユニット１８で畳ユニット９を形成しても良いものとする。
【００２１】
台ブロック２は図３（ａ）に示すように平面視長方形状であり、その長辺の長さは載置台３の１辺と略同じ長さであって、該台ブロック２は、載置台３に連結される略下半部の連結部２１と、略上半部の机部２２とからなる。
【００２２】
連結部２１は畳ユニット９側とは異なる側方に開口する収納部２０を備えている。具体的に連結部２１は、床１９に載置される底板２４と、該底板２４と上下方向に間隔を介して平行に配置される横板２５と、底板２４の上面及び横板２５の下面の夫々の畳ユニット９側の端部同士を連結する縦板２６とで主体が構成されており、断面コ字状である。底板２４と横板２５は長手方向における複数の箇所を夫々縦板２６及び横板２５の両方に直交する補強板２９によって連結され補強されている。補強板２９は底板２４、縦板２６、横板２５とで囲まれた空間を複数に区切っており、これら区切られた空間を本例では収納部２０としている。すなわち上記連結部２１は、畳ユニット９の反対側の側方及び畳ユニット９の１辺に沿った一側方に開口する長手方向における両端の収納部２０ａと、畳ユニット９の反対側の側方のみに開口する長手方向における中央部の２つの収納部２０ｂとを備えている。上記底板２４及び横板２５及び縦板２６の畳ユニット９側の側面は面一となっており、本例ではこの底板２４の畳ユニット９側の端部と、縦板２６と、横板２５の畳ユニット９側の端部とで、前記台ブロック２の略下半部の側面部３４を形成している。なお、上記横板２５及び底板２４の畳ユニット９側の端面を縦板の畳ユニット９側の反対側の面の上下端部に連結して断面コ字状の連結部２１の主体を構成し、縦板２６を側面部３４としたり、断面コ字状の連結部２１を一部材で構成し、該連結部２１の畳ユニット９側の側面部を前記側面部３４としても良いものとする。
【００２３】
机部２２には、畳ユニット９の上方部３５側及び畳ユニット９の反対側に開口した畳５に着座した人の足を畳ユニット９の反対側に挿通させるための足挿通用空所２３を形成している。具体的には机部２２は前述した横板２５と上下方向に間隔を介して平行に配置される天板２８と、天板２８と横板２５の長手方向における複数の箇所を連結する支持板３０とからなる。天板２８は前述した横板２５及び底板２４よりも外側方にやや突出しており、畳ユニット９側の端面は前述した側面部３４と面一となっている。支持板３０は、前記天板２８の下面及び横板２５の上面の畳ユニット９側の端部同士を連結する前記縦板２６に対して平行な板３０ａと、この板３０ａに連続し天板２８の下面及び横板２５の上面を連結する前記補強板２９に平行な板３０ｂとで構成されている。つまり本例では天板２８と横板２５と支持板２９によって囲まれた空間を前記足挿通用空所２３としている。
【００２４】
台付き畳ユニット１を形成する場合は、前述した台ブロック２の略下半部を載置台３の一外側面部に密着させて連結し、台ブロック２の略上半部を畳ユニット９よりも上方に突出させ、載置台３の台ブロック２側の外側面を除く全ての外側面に、該外側面よりも外側方に突出すると共に和風調表面層６の外周部に近接対向する框枠８を設ける。
【００２５】
具体的には、畳ユニット９に台ブロック２を連結する場合は、載置台３の内部である箱体１２の収納部１１側から固着具３１を挿通して載置台３と縦板２６とを固着する。この場合、連結部２１の上面である横板２５の上面は載置台３に敷設された和風調表面層６の上面よりも低く且つ載置台３の上面である蓋板１３の上面よりも高くなっており、これにより台ブロック２の略下半部の側面部３４の上端部（横板２５の側面）は外部に和風調表面層６の外周側面に近接対向することとなり、また足挿通用空所２３の畳ユニット９側の開口の下縁部は畳５の上面よりも下方に位置することとなる。そして本例ではこの和風調表面層６の外周部に近接対向する台ブロック２の略下半部の側面部３４上端部を畳５の位置ずれを防止するための畳止め部７としている。
【００２６】
框枠８は図５に示す前板部２７と、前板部２７の上端部から畳ユニット９側の側方に突出した突出部３２とからなる断面略逆Ｌ字状の部材であって、突出部３２の下面の前板部２７側の略半部には下方に開口するほぞ溝１６が長手方向の全長に亘って形成されている。そしてこの框枠８を畳ユニット９に取り付ける場合は、框枠８のほぞ溝１６を前述した化粧側板１５に設けたほぞ１７に上方から嵌め込むことで行う。この場合、框枠８の前板部２７の畳ユニット９側の側面は図５に示すように化粧側板１５の側面上端部に密接しており、突出部３２の畳ユニット９側の側面は外部に露出する蓋板１３の周側面及び畳５の外部に露出する周側面に近接対向している。また台ブロック２の横板２５は畳ユニット９側の側面の長手方向における両端部が框枠８の両端面に密着するように延出されている。なお本例の框枠８は図３（ａ）に示すように、載置台３の外周部の各１辺の略全長に亘って設けられる辺用框３６ａと、外周のコーナーに取り付けられるコーナー用框３６ｂとの２種類の框３６を組み合わせて形成されているものとする。また本例では、化粧側板１５を介して框枠８を載置台３の台ブロック２側の外側面を除く全ての外側面に設けたが、載置台３に化粧側板１５を設けず、框枠８を固着具等を用いて載置台３の台ブロック２側の外側面を除く全ての外側面に直接設けても良いものとする。
【００２７】
そして上記台付き畳ユニット１の外周部の台ブロック２を設けた側を除く辺のうち、１辺のみを壁４に沿わせて床１９に載置することで、台付き畳ユニット１の施工が完了する。この場合、框枠８の壁４に対向する側面は壁４に面接しているものとする。
【００２８】
しかして図１に示すような台付き畳ユニット１が形成され、台ブロック２を小物等を置くための置台や、文机、食卓等の台として利用することができる。また台ブロック２には畳ユニット９側とは異なる側方に開口する収納部２０を形成しているので、台として利用される台ブロック２を収納としても利用できる。さらには台ブロック２には前述したように足挿通用空所２３を形成しているため、台ブロック２を例えば文机として利用する場合、図６に示すように足挿通用空所２３の畳ユニット９側の開口から畳５に着座した人の足を入れて、畳ユニット９の反対側の開口から足先を出し、床に足裏を載置するといった楽な姿勢で畳５に着座することができる。
【００２９】
上記のように１乃至複数の畳からなる和風調表面層６を載置台３の略全上面に敷設して畳ユニット９を形成すると共に、上面部が天板２８となった台ブロック２を形成し、台ブロック２の略下半部を載置台３の外周部の少なくとも１辺に沿わせて連結し、台ブロック２の略上半部を畳ユニット９よりも上方に突出させることで、畳ユニット９と、小物等を置くための置台や、文机、食卓等の台として利用される台ブロック２とを一体化でき、これにより和室空間として利用するための十分な機能を備えた台付き畳ユニット１を形成できる。しかもこの場合、台ブロック２の畳止め部７で畳５の位置ずれを防止でき、台ブロック２で畳５の位置ずれを防止する框枠８の一部を兼用することができ、これにより框枠８の部材点数を削減でき、台付き畳ユニット１のコストを削減できる。また台ブロック２の略下半部の側面部を載置台３の少なくとも一外側面部及び框枠８の両端面に密着させて連結することで、畳ユニット９全体を補強でき、特に本例のように畳ユニット９が複数の畳台ユニット１８からなるものにあっては効果的である。
【００３０】
またこの場合、載置台３の台ブロック２側の外側面を除く全ての外側面に、該外側面よりも外側方に突出すると共に和風調表面層６の外周部に近接対向する框枠８を設けることで、框枠８を従来と同様に載置台３の台ブロック２側の外側面を除く全ての外側面に該外側面よりも外側方に突出して設けることができ、尚且つ台ブロック２の略下半部の側面部３４を載置台３の少なくとも一外側面部に密着させて連結し、前記台ブロック２の略下半部の側面部３４の上端部に和風調表面層６の外周部に近接対向し畳５の位置ずれを防止する畳止め部７を形成することで、台ブロック２と載置台３とを隙間なくぴったりと連結でき、台付き畳ユニット１の外観を向上できる。
【００３１】
また本例の載置台３は複数の畳台１０を並べて配置したものであるため、この框枠８は載置台３の形状を保持する役割も果たしている。
【００３２】
【発明の効果】
上記のように本発明の請求項１記載の発明にあっては、１乃至複数の畳からなる和風調表面層を載置台の略全上面に敷設して畳ユニットを形成すると共に、上面部が天板となった台ブロックを形成し、台ブロックの略下半部を載置台の外周部の少なくとも１辺に沿わせて連結し、台ブロックの略上半部を畳ユニットよりも上方に突出させることで、畳ユニットと、小物等を置くための置台や、文机、食卓等の台として利用される台ブロックとを一体化でき、これにより和室空間として利用するための十分な機能を備えた台付き畳ユニットを形成できる。しかもこの場合、台ブロックの畳止め部で畳の位置ずれを防止でき、台ブロックで畳の位置ずれを防止する框枠の一部を兼用することができ、これにより框枠の部材を削減でき、台付き畳ユニットのコストを削減できる。
【００３３】
また請求項２記載の発明にあっては、１乃至複数の畳からなる和風調表面層を載置台の略全上面に敷設して畳ユニットを形成すると共に、上面部が天板となった台ブロックを形成し、台ブロックの略下半部の側面部を載置台の少なくとも一外側面部に密着させて連結し、台ブロックの略上半部を畳ユニットよりも上方に突出させることで、畳ユニットと、小物等を置くための置台や、文机、食卓等の台として利用される台ブロックとを一体化でき、これにより和室空間として利用するための十分な機能を備えた台付き畳ユニットを形成できる。しかもこの場合、台ブロックの畳止め部で畳の位置ずれを防止でき、台ブロックで畳の位置ずれを防止する框枠の一部を兼用することができ、これにより框枠の部材点数を削減でき、台付き畳ユニットのコストを削減できる。さらには載置台の台ブロック側の外側面を除く全ての外側面に、該外側面よりも外側方に突出すると共に和風調表面層の外周部に近接対向する框枠を設けることで、框枠を従来と同様に載置台の台ブロック側の外側面を除く全ての外側面に該外側面よりも外側方に突出して設けることができ、尚且つ台ブロックの略下半部の側面部を載置台の少なくとも一外側面部に密着させて連結し、前記台ブロックの略下半部の側面部の上端部に和風調表面層の外周部に近接対向し畳の位置ずれを防止する畳止め部を形成することで、台ブロックと載置台とを隙間なくぴったりと連結でき、台付き畳ユニットの外観を向上できる。
【００３４】
また請求項３記載の発明にあっては、上記請求項１記載の発明の効果に加えて、台ブロックに畳ユニット側とは異なる側方に開口する収納部を形成することで、台ブロックを収納に利用できる。
【００３５】
また請求項３記載の発明にあっては、上記請求項１又は請求項２記載の発明の効果に加えて、台ブロックに、畳ユニットの上方部側及び畳ユニットの反対側に開口し、畳に着座した人の足を挿通させるための足挿通用空所を形成することで、台ブロックを例えば文机として利用する場合、足挿通用空所に畳ユニット側の開口部から畳に着座した人の足を入れて畳ユニットの反対側に出すことができ、これにより楽な姿勢で畳に着座することが可能となる。
【図面の簡単な説明】
【図１】本発明の台付き畳ユニットを示す全体斜視図である。
【図２】同上の分解斜視図である。
【図３】同上の台付き畳ユニットを示し、（ａ）は平面図、（ｂ）は正面図、（ｃ）は側面図、（ｄ）は（ａ）のＣ−Ｃ′断面図、（ｅ）は（ａ）のＢ−Ｂ′断面図である。
【図４】図３（ａ）のＡ―Ａ′断面図である。
【図５】図３（ａ）のＤ−Ｄ′断面図である。
【図６】同上の台ブロックの足挿通用空所に足を通した状態を示す断面図である。
【符号の説明】
１  台付き畳ユニット
２  台ブロック
３  載置台
５  畳
６  和風調表面層
８  框枠
９  畳ユニット
２８  天板
【図１】
2004324111.tif 000003
【図２】
2004324111.tif 000004
【図３】
2004324111.tif 000005
【図４】
2004324111.tif 000006
【図５】
2004324111.tif 000007
【図６】
2004324111.tif 000008